(57)【要約】    【課題】樹脂製シートを適度な緊張をもって看板枠体に張る。    【解決手段】  本発明の看板用シート取付方法は、（ａ）看板の枠体に台座を取り付ける工程。（ｂ）太く形成されたシート端部をフレームの受部に挿入する工程。（ｃ）前記台座にストッパーとテンションバーを取り付ける工程。（ｄ）フレームとテンションバーを接合して全面均一に引っ張る工程。（ｅ）十分均一に張ったところでフレームを台座に固定する工程。（ｆ）ストッパーとテンションバーを取り外す工程。を有することを特徴とする。各工程の順序は、前後してもよい。【選択図】  図１
2005037692.tif 000002
【特許請求の範囲】
【請求項１】
看板用シートを看板の枠体（１）に取り付ける装置であって、
（ａ）看板の枠体（１）に取り付けられた台座（２）と、
（ｂ）前記台座（２）に取り外し自在に取り付けられたストッパー（３）と、
（ｃ）前記ストッパー（３）の開口を貫通してスライド可能なバー本体（４１）を有するとともに、弾性体（４３）により引っ張り力が付与されたテンションバー（４）と、
（ｄ）一端が前記バー本体（４１）と係合可能で、他端がシート端部（６１）と接合可能な受部となっているフレーム（５）と
からなることを特徴とする看板用シート取付装置。
【請求項２】
フレーム（５）とシート端部（６１）の接合が、直径を太くしたシート端部とそれを受け入れるフレームの受部（５３）の組合せである請求項１記載の装置。
【請求項３】
シート端部を折り返し、折り目のところに芯材を入れて、シート端部の直径を太くした請求項２記載の装置。
【請求項４】
予め先端が太く形成されたテープをそのままシート端部に接合してシート端部の直径を太くした請求項２記載の装置。
【請求項５】
看板用シートを看板の枠体（１）に取り付ける方法であって、
（ａ）看板の枠体に台座（２）を取り付ける工程。
（ｂ）直径が太く形成されたシート端部（６１）をフレームの受部（５３）に挿入する工程。
（ｃ）前記台座（２）にストッパー（３）とテンションバー（４）を取り付ける工程。
（ｄ）フレーム（５）とテンションバー（４）を接合して全面均一に引っ張る工程。
（ｅ）十分均一に張ったところでフレーム（５）を台座（２）に固定する工程。
（ｆ）ストッパー（３）とテンションバー（４）を取り外す工程。
を有することを特徴とする看板用シート取付方法。
【発明の詳細な説明】
【技術分野】
【０００１】
本発明は看板用シート取付装置及び方法に関する。
【背景技術】
【０００２】
屋外看板や内照式看板の表面に、インクジェット等で印刷した樹脂製シートが使用されるようになってきた。印刷済みの樹脂製シートをフレームに取り付けるためには、その周囲を均一に引っ張りながら固定する必要があるが、今までそのための簡便な装置及び道具がなく、大がかりな道具や複雑なフレーム類を使用していた。このことがシート看板の普及を妨げている一因となっていた。
【発明の開示】
【発明が解決しようとする課題】
【０００３】
本発明は、この問題点に鑑みて行われたもので、シートの周囲を均一に引っ張りながらフレームに固定する装置及び方法を提供することを目的とする。
【課題を解決するための手段】
【０００４】
上記目的を達成する本発明の看板用シート取付装置は、
（ａ）看板の枠体に取り付けられた台座と、
（ｂ）前記台座に取り外し自在に取り付けられたストッパーと、
（ｃ）前記ストッパーの開口を貫通してスライド可能なバー本体を有するとともに、弾性体により引っ張り力が付与されたテンションバーと、
（ｄ）一端が前記バー本体と係合可能で、他端がシート端部を受け入れ可能な受部となっているフレーム
からなることを特徴とする。
【０００５】
本発明の看板用シート取付方法は、
（ａ）看板の枠体に台座を取り付ける工程。
（ｂ）太く形成されたシート端部をフレームの受部に挿入する工程。
（ｃ）前記台座にストッパーとテンションバーを取り付ける工程。
（ｄ）フレームとテンションバーを接合して全面均一に引っ張る工程。
（ｅ）十分均一に張ったところでフレームを台座に固定する工程。
（ｆ）ストッパーとテンションバーを取り外す工程。
を有することを特徴とする。各工程の順序は、前後してもよい。
【発明の効果】
【０００６】
本発明の装置と方法によれば、各部品自体はごく一般的な道具を使用するだけで、樹脂製シートを適度な緊張をもって張ることができる。
【発明を実施するための最良の形態】
【０００７】
台座は、後記する実施例のように看板の枠体とは別のものとしておくことが好ましいが、枠体が太くしっかりしているときはこれ自体を台座とすることもできる。
【０００８】
ストッパーは、テンションバー挿通用の貫通孔があればどのようなものでもよい。例えば、Ｕ字型開口を有する板材とすることができる。
【０００９】
テンションバーは、例えば、細長いバー本体と、スプリング力によりスライド可能な中間移動部材と、調節ねじからなるものとすることができる。
【００１０】
フレームは、一端が前記バー本体と係合可能で、他端がシート端部を受け入れ可能な受部となっている。バー本体との係合は、例えば双方のフック同士の係合とすることができる。シート端部の受け入れは、例えば、直径を太くしたシート端部とそれを受け入れる受部の組合せとすることができる。
【００１１】
シート端部の直径を太くするには、次の方法がある。
(a)シート端部を折り返し、折り目のところに芯材（丸棒）を入れる。折り返されて二重になったシート生地同士は接着剤で接合したり、縫い合わせたりする。
(b)予め先端が太く形成されたテープをそのままシート端部に接着剤で接合したり、縫い合わせたりする。
【実施例１】
【００１２】
以下、添付の図面に基づき、本発明の実施例を説明する。図１は、本発明の１実施例に係る装置の斜視図であり、図２は側面図である。
【００１３】
図２に示すように、屋外看板や内照式看板の上側表面に印刷済みの樹脂製シートを張る場合を例示する。
【００１４】
まず、屋外看板や内照式看板の枠体１に断面Ｌ字型の台座２を取り付ける。台座２の外側には「コ」の字型係合部２１が形成されており、ここにストッパー３が取付可能である。ストッパー３は、図１、図５に示すように、板状であるが、上部にＵ字型開口３１が設けられている。このＵ字型開口は台座２から上方へ突出する。
【００１５】
このストッパーのＵ字型開口３１を貫通するようにして、テンションバー４が取り付けられている。テンションバー４は、図３に示すように、細長いバー本体４１を有する。このバー本体４１には、スプリング力によりスライド可能な中間移動部材４２が取り付けられている。スプリング４３は、中間移動部材４２と後端の調節ねじ４４の間に設定され、その引っ張り力は、調節ねじ４４の位置調節により調節可能である。中間移動部材４２の前方への動きは前記ストッパー３（すなわち、Ｕ字型開口３１の周辺板材）により制限される。バー本体４１の最先端には、第１フック４５が設けられていて、次記するフレーム５後端に係合可能である。
【００１６】
フレーム５は、図１、図４に示すように、細長い本体５１を有する。本体５１の後端には前記第１フック４５が係合する第２フック５２が、先端には長手方向に切り欠き５４を有する円筒状の受部５３がそれぞれ形成されている。
【００１７】
この受部５３に固定されるのがシート６の端部６１であるが、受部５３に固定する前にシート端部６１を予め加工しておく必要がある。その方法は、例えば図４（ａ）と図４（ｂ）に図示したものがある。
【００１８】
図４（b）の方法では、シート端部６１を折り返し、折り目のところに芯材（丸棒）６２を入れる。折り返されて二重になったシート生地同士は接着剤で接合したり、縫い合わせたりする。
【００１９】
図４（c）の方法では、予め先端が太く形成されたテープ６３をそのままシート端部に接着剤で接合したり、縫い合わせたりする。
【００２０】
受部５３の切り欠き５４の距離は通常シート端部６１の太さよりもやや短い。このようにして形成したシート端部を受部に挿入するには、次の２つの方法がある。第一は、シート端部６１正面を受部５３正面に強く押し込む方法である。例えれば、長手方向に切れ目のある筒に対して切れ目の中に丸棒を強く押し込むようなやり方である。第２は、両者の側面端部同士を係合させ、そのまま長手方向に重ねていく方法である。例えれば、筒の中に丸棒を入れるようなやり方である。
【００２１】
以上の説明で、シートの設定方法はすでに明らかであるが、作業手順に従ってまとめると次のとおりである。
【００２２】
（１）太く形成されたシート端部６１をフレームの受部５３に挿入する。
（２）屋外看板や内照式看板の枠体１に台座２とストッパー３とテンションバー４を取り付ける。
（３）フレーム５とテンションバー４を接合して全面均一に引っ張る。
（４）十分均一に張ったところでフレーム５を台座２にねじ５５やくぎで固定する。
（５）ストッパー３とテンションバー４を取り外す。
【００２３】
なお、図２では本発明の装置を使用してシートの両端を固定しているが、一端（例えば、図２の左端）だけでもよい。他端（図２の右端）は最初から固定しておき、調節を左端で行うことができるからである。
【００２４】
以上の操作により、適度な緊張をもって樹脂シートを屋外看板や内照式看板の枠体に張ることができる。
【図面の簡単な説明】
【００２５】
【図１】本発明の１実施例に係る装置の斜視図である。
【図２】本発明の１実施例に係る装置の側面図である。
【図３】(a)はテンションバーの側面図、(b)は同正面図である。
【図４】フレームとシート端部の関係を示す側面図である。(a)は側面図、(b)(c)はシート端部の側面図である。
【図５】(a)はストッパの側面図、(b)は同正面図である。
【符号の説明】
【００２６】
１     枠体
２     台座
３     ストッパー
３１   Ｕ字型開口
４     テンションバー
４１   バー本体
４２   中間移動部材
４３   スプリング
４４   調節ねじ
４５   第１フック
５     フレーム
５１   本体
５２   第２フック
５３   受部
６      シート
６１    シート端部
【図１】
2005037692.tif 000003
【図２】
2005037692.tif 000004
【図３】
2005037692.tif 000005
【図４】
2005037692.tif 000006
【図５】
2005037692.tif 000007